(57)【特許請求の範囲】
【請求項１】
上面が開放されたボックス形状のケース本体（３００）と、
上記ケース本体（３００）を幅方向に区画してルアーロッドの第１ブランク（１３０）を収納する第１収納室（３３０）と、第２ブランク（１４０）を収納する第２収納室（３４０）を形成し、一端はケース本体（３００）の短辺と一体に形成され、他端はケース本体（３００）の短辺と間隔をおいて離隔設置されて連通空間（３２０）をなす第１隔壁（３１０）と、
上記第１収納室（３３０）の連通空間（３２０）の反対側の外側面一部が突出され、釣り用リール（Ｒ）を収納できるように空間が形成されたリール収納室（３５０）と、
上記第２収納室（３４０）の一端部に上記第２収納室（３４０）を区画して仕掛け収納室（Ｌ）をなすように形成され、上下方向にライン通過用スリット（Ｓ）が備えられた第２隔壁（Ｗ）を含んで構成されることを特徴とするルアーロッド専用収納ケース。
【請求項２】
上記第１収納室（３３０）と第２収納室（３４０）の一部には上記第１ブランク（１３０）または上記第２ブランク（１４０）をそれぞれ収納固定するブランク固定部材（４００）がさらに備えられ、
上記ブランク固定部材（４００）は、
上記第１ブランク（１３０）または第２ブランク（１４０）が挿入されるようにブランク固定部材（４００）の上面中央に傾斜面（４６０）を有するように形成された挿入溝（４１０）と、
上記挿入溝（４１０）の直下方に連通されるように形成され、上記第１ブランク（１３０）または第２ブランク（１４０）を収納する収納溝（４２０）と、
上記挿入溝（４１０）から収納溝（４２０）に向かう方向と垂直に交差する方向に上記ブランク固定部材（４００）の内部に両側に形成された一対のスプリング設置溝（４３０）と、
上記スプリング設置溝（４３０）にそれぞれ設けられたスプリング（４４０）と、
上記スプリング（４４０）を介在して上記スプリング設置溝（４３０）に設けられて互いに向かい合って接触配置され、端部が矩形状にラウンド加工された作動ロッド（４５０）を含んで構成されることを特徴とする請求項１に記載のルアーロッド専用収納ケース。
【請求項３】
請求項１または請求項２に記載のルアーロッド専用収納ケースが、釣りバッグ（２００）自体に一体に形成されたことを特徴とするルアーロッド専用収納ケース。
【発明の詳細な説明】
【技術分野】
【０００１】
本発明は、ルアーロッド専用収納ケースに係り、より詳細には、２ピース形態のルアーロッドを専用かつ便利に収納できるように改善したルアーロッド専用収納ケースに関するものである。
【背景技術】
【０００２】
よく知られる通り、ルアーフィッシングとは、ミミズ、虫、エビまたは対象魚より小さい魚のような動物性エサや練り餌のような植物性エサを用いずに、疑似餌を用いて釣りをすることをいう。
このようなルアーフィッシングは、例えば、疑似餌をラインの先端に結び、人がロッドとリールを適切に使用して、ラインに結ばれた疑似餌がまるで生きている生物のような多様な個性的運動を成させることによって、肉食性の魚がラインに結ばれている疑似餌を生きている餌と錯覚するようにし、疑似餌に魚がかかるようにする釣りの形態である。
この時、ルアー（Ｌｕｒｅ）は、疑似餌として魚の錯覚と関心を誘発させるために、光と色、形態と動き、音などを提供する。
【０００３】
このようなルアーフィッシングは、多様な形態のルアーロッドを通じて行われるが、通常２ピースタイプのルアーロッドは、図１に例示された形態を有する。例えば、メイングリップであるリアグリップ（ｒｅａｒ  ｇｒｉｐ）（１００）、リール（図示せず）を装着するためのリールシート（ｒｅｅｌ  ｓｅａｔ）（１１０）、リールシート（１１０）を介してリアグリップ（１００）と間隔をおいた補助グリップであるフォアグリップ（ｆｏｒｅ  ｇｒｉｐ）（１２０）、フォアグリップ（１２０）から一定の長さで延長された第１ブランク（ｆｉｒｓｔ  ｂｌａｎｋ）（１３０）、上記第１ブランク（１３０）に組立／分離される第２ブランク（ｓｅｃｏｎｄ  ｂｌａｎｋ）（１４０）で構成される。
そして上記第１ブランク（１３０）の先端には、ラインが絡まらないように案内する最も大きいガイドであるバットガイド（ｂｕｔｔ  ｇｕｉｄｅ）（１５０）が備えられ、また第２ブランク（１４０）にも多数のガイド（１６０）が備えられ、第２ブランク（１４０）の先端には、最終ガイドであるトップガイド（１７０）が備えられる。
【０００４】
そして、釣りをする場所、即ち釣りポイントに移動した後、リールシート（１１０）にリールを装着してガイドにラインを通し、その後ラインの先端にルアー（疑似餌）を結んでルアーを遠くへ投じて、ルアー釣りを楽しむことになる。
ところが、このようなルアーフィッシングは、にせ餌（疑似餌）を用い、釣りポイントを頻繁に移動する必要がある。しかし、その度にリールと第１、２ブランク（１３０、１４０）を互いに分離した後釣りバッグに入れて移動したり、あるいは第１、２ブランク（１３０、１４０）のみ分離した状態で持って移動したりする形態をとらなければならないため非常に不便であり、またルアーには釣り針が備えられているため周りの人や物との接触による事故の危険も内在していた。
そして、釣りバッグに入れてポイントを移動する時にラインが絡まるような問題が頻繁に発生するという他の問題もあった。
【発明の概要】
【発明が解決しようとする課題】
【０００５】
本発明は、上述したような従来技術の問題を解決するためのものであって、第１、２ブランクを分離した後、収めるだけで簡便かつ容易に分離収納ができ、ラインが絡まったりあるいはルアーロッドが破損される問題なく、頻繁な釣りポイントの移動時にも便宜性が増大し事故の危険も防止できるルアーロッド専用収納ケースを提供することにその主な目的がある。
【０００６】
また、本発明は、ルアーロッドを専用に収納する時に揺れを防止し安全な収納ができるように、ワンタッチ式固定構造を含むルアーロッド専用収納ケースを提供することにもその目的がある。
【課題を解決するための手段】
【０００７】
本発明は、上記した目的を達成するための手段として、上面が開放されたボックス形状のケース本体と、上記ケース本体を幅方向に区画してルアーロッドの第１ブランクを収納する第１収納室と、第２ブランクを収納する第２収納室を形成し、一端はケース本体の短辺と一体に形成され、他端はケース本体の短辺と間隔をおいて離隔設置されて連通空間をなす第１隔壁と、上記第１収納室の連通空間反対側の外側面一部が突出され、釣り用リールを収納できる空間が形成されたリール収納室と、上記第２収納室の一端部に上記第２収納室を区画して仕掛け収納室をなすように形成され、上下方向にライン通過用スリットが備えられた第２隔壁を含んで構成されることを特徴とするルアーロッド専用収納ケースを提供する。
【０００８】
この時、上記第１収納室と第２収納室の一部には上記第１ブランクまたは上記第２ブランクをそれぞれ収納固定するブランク固定部材がさらに備えられ、上記ブランク固定部材は、上記第１ブランクまたは第２ブランクが円滑に挿入されるようにブランク固定部材の上面中央に傾斜面を有するように形成された挿入溝と、上記挿入溝の直下方に連通されるように形成され、上記第１ブランクまたは第２ブランクを収納する収納溝と、上記挿入溝から収納溝に向かう方向と垂直に交差する方向に上記ブランク固定部材の内部に両側に形成された一対のスプリング設置溝と、上記スプリング設置溝にそれぞれ設けられたスプリングと、上記スプリングを介在して上記スプリング設置溝に設けられて互いに向かい合って接触配置され、端部は矩形状にラウンド加工された作動ロッドを含んで構成されることが好ましい。
また、上述した収納ケース構造は、釣りバッグ自体に一体に形成されることが好ましい。
【発明の効果】
【０００９】
本発明によれば、ルアーロッドのみを専用に収納するケースを提供することによって、頻繁な釣りポイントの移動時にもルアーロッドを容易に分離収納でき、安全性が向上し、ラインが絡まったりする現象がなく、破損や損傷のおそれが解消される効果が得られる。
【図面の簡単な説明】
【００１０】
【図１】一般的な２ピースルアーロッドの例示図である。
【図２】本発明による収納ケースが内蔵されたルアーフィッシング用バッグを示した斜視図である。
【図３】本発明による収納ケースの例示的な斜視図である。
【図４】本発明による収納ケースにブランク固定部材がさらに設けられた例を示した例示図である。
【図５】本発明による収納ケースがルアーフィッシング用バッグ自体に形成された例を示した開放状態例示図である。
【発明を実施するための形態】
【００１１】
以下では、添付図面を参照して本発明による好ましい実施例をより詳細に説明する。
【００１２】
図２に示す通り、本発明によるルアーロッド収納専用の収納ケースは、ルアーロッド用釣りバッグ（２００）に装着される。
この時、上記釣りバッグ（２００）は、側面に沿ってジッパー（２１０）が形成され、上下開放式に構成されることが好ましい。
これはルアーロッドを第１ブランク（１３０、図１参照）と第２ブランク（１４０、図１参照）に分離した後、そのまま載置させ、出し入れを容易にするためである。
【００１３】
そして、上記釣りバッグ（２００）には、移動の便宜性のために肩ひも（２２０）がさらに備えられることができ、また、取っ手（Ｈ）も備えることができる。
また、上記釣りバッグ（２００）の一側には、後述する収納ケースの形状に合うように突出部（２３０）が備えられる。
【００１４】
本発明による収納ケースは、図３に示す通り、ケース本体（３００）を含む。
この時、上記ケース本体（３００）は、ハードボール紙またはプラスチックで製造されて一定以上の剛性を有するように形成され、略上面が開放されたボックス形状に形成される。
この場合、上記ケース本体（３００）の内部にスポンジや布、不織布などの内装材を被せることもできる。
【００１５】
そして、上記ケース本体（３００）の幅方向中心には第１隔壁（３１０）が形成される。
この場合、上記第１隔壁（３１０）の一端は、上記ケース本体（３００）の一側短辺と一体に形成され、他端は、上記ケース本体（３００）の他側短辺と間隔をおいて離隔設置されてラインを容易に収納できる連通空間（３２０）を形成する。
従って、上記ラインは絡まったりすることなく安全に収納できる。
【００１６】
また、上記第１隔壁（３１０）により区画された空間は、第１ブランク（１３０）が収納される第１収納室（３３０）と、第２ブランク（１４０）が収納される第２収納室（３４０）を構成する。
【００１７】
また、上記第１収納室（３３０）の外側面一部、好ましくは上記連通空間（３２０）と反対する側一部には突出部（Ｔ）が形成され、この突出部（Ｔ）によってリール収納室（３５０）が形成され、上記リール収納室（３５０）にはリール（Ｒ）が収納される。
従って、本発明による収納ケースを用いれば、上記リール（Ｒ）をロッドのリールシート（１１０）から分離しなくても即時に収納できるため、釣りポイントの移動時に非常に便利に活用できる。
【００１８】
更に、第２収納室（３４０）の一側端部には第２隔壁（Ｗ）が横切って形成され、上記第２隔壁（Ｗ）には上下にスリット（Ｓ）が形成されて、ルアーやスプーンなど仕掛けを入れることができる仕掛け収納室（Ｌ）が形成される。
この時、上記スリット（Ｓ）は、ラインがかからずにルアーなどが円滑に収納されるように案内する。
【００１９】
また、図４に示す通り、上記第１、２収納室（３３０、３４０）それぞれには、ルアーロッド（Ｒｏｄ）、即ちブランクを固定するブランク固定部材（４００）がさらに備えられる。
この時、上記ブランク固定部材（４００）は、その一端がケース本体（３００）に固定され、他端が第１隔壁（３１０）に固定支持される構造を有する。
【００２０】
特に、上記ブランク固定部材（４００）には、拡大図示された断面図のように、長さ中央上面に第１ブランク（１３０）または第２ブランク（１４０）が挿入できるように挿入溝（４１０）が形成される。上記挿入溝（４１０）は、互いに向かい合う面に下方向への傾斜面（４６０）が形成され、上記第１ブランク（１３０）または第２ブランク（１４０）が挿入される時、円滑な挿入を誘導する。
【００２１】
また、上記挿入溝（４１０）の直下方には、これと連通されながら第１ブランク（１３０）または第２ブランク（１４０）を収納する収納溝（４２０）が形成され、上記挿入溝（４１０）から収納溝（４２０）に向かう方向と略垂直に交差する方向に上記ブランク固定部材（４００）の内部にスプリング設置溝（４３０）が形成され、上記スプリング設置溝（４３０）にはスプリング（４４０）が設けられる。
【００２２】
そして、上記スプリング設置溝（４３０）には、スプリング（４４０）が介在した状態で作動ロッド（４５０）が嵌められるが、離脱しないように係止段構造を有して形成され、作動ロッド（４５０）の先端は略矩形状でラウンド加工される。
また、このような構造は、上記挿入溝（４１０）を基準に左、右両側が対称になるように形成される。
従って、上記作動ロッド（４５０）の先端どうしは互いに接触し、常にスプリング（４４０）の弾性によって互いに押している状況が維持される。
【００２３】
この状態で、第１ブランク（１３０）または第２ブランク（１４０）を挿入溝（４１０）に当てて押すと、スプリング（４４０）が圧縮されながら各作動ロッド（４５０）がスプリング設置溝（４３０）内部に後退し、同時に第１ブランク（１３０）または第２ブランク（１４０）が挿入溝（４１０）において作動ロッド（４５０）を押し退けながら下降して収納溝（４２０）に収納され、収納後には外力が除去されるので、再度スプリング（４４０）によって作動ロッド（４５０）が戻されて、第１ブランク（１３０）または第２ブランク（１４０）を大きな揺れなしに安全に収納固定できる。
【００２４】
以後、釣りポイントを移動してから再度取り出す時には、第１ブランク（１３０）または第２ブランク（１４０）をつかんで上部に引っ張りさえすれば挿入させる時と反対の作用を通じて容易に分離できる。
これによって、使用者はルアーロッドを便利かつ安全に、そして容易に臨時または長時間保管できるので使用上の便宜性が極大化される。
【００２５】
また、分離された第１ブランク（１３０）に付着されたリール（Ｒ）は、再度分離する必要なくリール収納室（３５０）に挿入し、第１ブランク（１３０）は第１収納室（３３０）に、第２ブランク（１４０）は第２収納室（３４０）に挿入すれば非常に短時間でとても簡単にルアーロッドを分離収納できる。
【００２６】
一方、図５に示す通り、本発明による収納ケースは、釣りバッグ（２００）自体に一体に形成することもできる。
図５に示された例によれば、釣りバッグ（２００）自体を若干剛性を有するように構成し、幅方向の中央に第１隔壁（３３０）を形成することによって、上述した実施例と同一に構成することもできる。
更に上記図５に示された例においても、上述したブランク固定部材（４００）をそのまま適用することもできる。
【００２７】
以上のように、本発明は、今まで開示されなかった、ルアーロッドのみを専用に収納できる収納ケースを提供することによって、ルアーロッド使用者の便宜性をより極大化し、釣りポイントの移動時あるいはルアーロッドの保管時に安全性を一層高められるので、その活用性が大きいと期待される。
【産業上の利用可能性】
【００２８】
本発明は第１、２ブランクを分離した後収めるだけで簡便かつ容易に分離収納できるので、ラインが絡まったりあるいはルアーロッドが破損する問題なしに頻繁な釣りポイントの移動時にも使用上の便宜性が増大し、また事故の危険も防止でき、さらにルアーロッドを専用に収納する時に揺れを防止して安全な収納が可能であるようにワンタッチ式固定構造を含むルアーロッド専用収納ケースを提供する。
【符号の説明】
【００２９】
１００  リアグリップ
１１０  リールシート
１２０  フォアグリップ
１３０  第１ブランク
１４０  第２ブランク
１５０  バットガイド
１６０  ガイド
１７０  トップガイド
２００  釣りバック
２１０  ジッパー
２２０  肩ひも
２３０  突出部
３００  ケース本体
３１０  第１隔壁
３２０  連通空間
３３０  第１収納室
３４０  第２収納室
３５０  リール収納室
４００  ブランク固定部材
４１０  挿入溝
４２０  収納溝
４３０  スプリング設置溝
４４０  スプリング
４５０  作動ロッド
４６０  傾斜面
【図１】
0005391498.tif 000002
【図２】
0005391498.tif 000003
【図３】
0005391498.tif 000004
【図４】
0005391498.tif 000005
【図５】
0005391498.tif 000006